(57)【要約】  電力増幅器を制御するために使用される信号の電圧を制御するための方法について説明する。第１マルチプレクサおよび第２マルチプレクサがイネーブル信号に設定される。第１マルチプレクサは第１集積回路上にあり、第２マルチプレクサは第２集積回路上にある。電力増幅器を制御するために使用される複数の制御信号のうちの１つに第１マルチプレクサを設定するためのコマンドは第１マルチプレクサに書き込まれる。第１マルチプレクサにマッピングする複数の制御信号のうちの１つを選択するためのコマンドは第２マルチプレクサに書き込まれる。第２集積回路は電源に接続される。
2011508535.tif 000002
【特許請求の範囲】
【請求項１】
電力増幅器を制御するために使用される信号の電圧を制御するための方法であって、
第１集積回路上にある第１マルチプレクサおよび第２集積回路上にある第２マルチプレクサをイネーブル信号に設定することと、
電力増幅器を制御するために使用される複数の制御信号のうちの１つに前記第１マルチプレクサを設定するためのコマンドを前記第１マルチプレクサに書き込むことと、
前記第１マルチプレクサにマッピングする前記複数の制御信号のうちの１つを選択するためのコマンドを前記第２マルチプレクサに書き込むことと
を備え、前記第２集積回路が電源に接続される、方法。
【請求項２】
前記イネーブル信号が温度補償型水晶発振器（ＴＣＸＯ）イネーブル信号である、請求項１に記載の方法。
【請求項３】
前記コマンドが、制御ソフトウェアを使用して前記第１マルチプレクサに書き込まれる、請求項１に記載の方法。
【請求項４】
前記コマンドが、単線シリアルバスインターフェース（ＳＳＢＩ）を使用して前記第２マルチプレクサに書き込まれる、請求項１に記載の方法。
【請求項５】
前記第１集積回路がデジタルモデムシステムモデム（ＭＳＭ）集積回路である、請求項１に記載の方法。
【請求項６】
前記第２集積回路が電力管理集積回路（ＰＭＩＣ）である、請求項１に記載の方法。
【請求項７】
前記制御信号が電力増幅器オン（ＰＡ＿ＯＮ）信号である、請求項１に記載の方法。
【請求項８】
前記ＴＣＸＯイネーブル信号と前記ＰＡ＿ＯＮ信号とを多重化することをさらに備える、請求項７に記載の方法。
【請求項９】
前記ＰＡ＿ＯＮ信号が、広帯域符号分割多元接続（ＷＣＤＭＡ）システムにおける電力増幅器を制御する、請求項７に記載の方法。
【請求項１０】
前記ＰＡ＿ＯＮ信号が、移動体用グローバルシステム（ＧＳＭ）通信システムにおける電力増幅器を制御する、請求項７に記載の方法。
【請求項１１】
前記制御信号が、スイッチを制御するために使用される複数のアンテナ選択信号である、請求項１に記載の方法。
【請求項１２】
前記イネーブル信号を無視するためのコマンドを前記第２マルチプレクサに書き込むことをさらに備える、請求項１に記載の方法。
【請求項１３】
単一のダイ間接続を使用して前記第１マルチプレクサと前記第２マルチプレクサとを接続する、請求項１に記載の方法。
【請求項１４】
電力増幅器を制御するために使用される信号の電圧を制御するためのワイヤレスデバイスであって、
プロセッサと、
前記プロセッサと電子的に通信するメモリと、
前記メモリに記憶された命令であって、
第１集積回路上にある第１マルチプレクサおよび第２集積回路上にある第２マルチプレクサをイネーブル信号に設定し、
電力増幅器を制御するために使用される複数の制御信号のうちの１つに前記第１マルチプレクサを設定するためのコマンドを前記第１マルチプレクサに書き込み、
前記第１マルチプレクサにマッピングする前記複数の制御信号のうちの１つを選択するためのコマンドを前記第２マルチプレクサに書き込む
ように実行可能である、命令と
を備え、前記第２集積回路が電源に接続される、ワイヤレスデバイス。
【請求項１５】
前記ワイヤレスデバイスがハンドセットである、請求項１４に記載のワイヤレスデバイス。
【請求項１６】
前記ワイヤレスデバイスが基地局である、請求項１４に記載のワイヤレスデバイス。
【請求項１７】
前記イネーブル信号が温度補償型水晶発振器（ＴＣＸＯ）イネーブル信号である、請求項１４に記載のワイヤレスデバイス。
【請求項１８】
前記コマンドが、制御ソフトウェアを使用して前記第１マルチプレクサに書き込まれる、請求項１４に記載のワイヤレスデバイス。
【請求項１９】
前記コマンドが、単線シリアルバスインターフェース（ＳＳＢＩ）を使用して前記第２マルチプレクサに書き込まれる、請求項１４に記載のワイヤレスデバイス。
【請求項２０】
前記第１集積回路がデジタルモデムシステムモデム（ＭＳＭ）集積回路である、請求項１４に記載のワイヤレスデバイス。
【請求項２１】
前記第２集積回路が電力管理集積回路（ＰＭＩＣ）である、請求項１４に記載のワイヤレスデバイス。
【請求項２２】
前記制御信号が電力増幅器オン（ＰＡ＿ＯＮ）信号である、請求項１４に記載のワイヤレスデバイス。
【請求項２３】
前記命令が、前記ＴＣＸＯイネーブル信号と前記ＰＡ＿ＯＮ信号とを多重化するようにさらに実行可能である、請求項２２に記載のワイヤレスデバイス。
【請求項２４】
前記ＰＡ＿ＯＮ信号が、広帯域符号分割多元接続（ＷＣＤＭＡ）システムにおける電力増幅器を制御する、請求項２２に記載のワイヤレスデバイス。
【請求項２５】
前記ＰＡ＿ＯＮ信号が、移動体用グローバルシステム（ＧＳＭ）通信システムにおける電力増幅器を制御する、請求項２２に記載のワイヤレスデバイス。
【請求項２６】
電力増幅器を制御するために使用される信号の電圧を制御するための装置であって、
第１集積回路上にある第１マルチプレクサおよび第２集積回路上にある第２マルチプレクサをイネーブル信号に設定するための手段と、
電力増幅器を制御するために使用される複数の制御信号のうちの１つに前記第１マルチプレクサを設定するためのコマンドを前記第１マルチプレクサに書き込むための手段と、
前記第１マルチプレクサにマッピングする前記複数の制御信号のうちの１つを選択するためのコマンドを前記第２マルチプレクサに書き込むための手段と
を備え、前記第２集積回路が電源に接続される、装置。
【請求項２７】
前記イネーブル信号が温度補償型水晶発振器（ＴＣＸＯ）イネーブル信号である、請求項２６に記載の装置。
【請求項２８】
前記コマンドが、制御ソフトウェアを使用して前記第１マルチプレクサに書き込まれる、請求項２６に記載の装置。
【請求項２９】
前記コマンドが、単線シリアルバスインターフェース（ＳＳＢＩ）を使用して前記第２マルチプレクサに書き込まれる、請求項２６に記載の装置。
【請求項３０】
前記第１集積回路がデジタルモデムシステムモデム（ＭＳＭ）集積回路である、請求項２６に記載の装置。
【請求項３１】
前記第２集積回路が電力管理集積回路（ＰＭＩＣ）である、請求項２６に記載の装置。
【請求項３２】
電力増幅器を制御するために使用される信号の電圧を制御するためのコンピュータプログラム製品であって、その上に命令を有するコンピュータ可読媒体を備え、前記命令が、
第１集積回路上にある第１マルチプレクサおよび第２集積回路上にある第２マルチプレクサをイネーブル信号に設定するためのコードと、
電力増幅器を制御するために使用される複数の制御信号のうちの１つに前記第１マルチプレクサを設定するためのコマンドを前記第１マルチプレクサに書き込むためのコードと、
前記第１マルチプレクサにマッピングする前記複数の制御信号のうちの１つを選択するためのコマンドを前記第２マルチプレクサに書き込むためのコードと
を備え、前記第２集積回路が電源に接続される、コンピュータプログラム製品。
【請求項３３】
電力増幅器を制御するために使用される信号の電圧を制御するための回路であって、
モデムシステムモデム（ＭＳＭ）回路である第１集積回路、および電力管理集積回路（ＰＭＩＣ）であり電源に接続される第２集積回路と、
前記ＭＳＭ上の第１マルチプレクサおよび前記ＰＭＩＣ上の第２マルチプレクサであって、前記第１マルチプレクサおよび前記第２マルチプレクサはイネーブル信号に設定され、電力増幅器を制御するために使用される複数の制御信号のうちの１つに前記第１マルチプレクサを設定するためのコマンドが前記第１マルチプレクサに書き込まれる、前記ＭＳＭ上の第１マルチプレクサおよび前記ＰＭＩＣ上の第２マルチプレクサと、
前記第１マルチプレクサにマッピングする前記複数の制御信号のうちの１つを選択するためのコマンドを前記第２マルチプレクサに書き込む単線シリアルバスインターフェース（ＳＳＢＩ）と
を備える回路。
【発明の詳細な説明】
【技術分野】
【０００１】
優先権
本出願は、参照により本明細書に組み込まれる、発明者David Maldonado、Puay Hoe See、Bo SunおよびGuang ZhangによるSYSTEMS AND METHODS FOR CONFIGURING MULTIPLE MULTIPLEXERS VIA AN EXTERNAL INTEGRATED CIRCUITと題する２００７年１２月２０日に出願の米国仮特許出願第６１／０１５，６５４号に関し、その優先権を主張する。
【０００２】
本システムおよび方法は、通信技術およびワイヤレス関連技術に関する。より詳細には、本システムおよび方法は、電力増幅器を制御するために使用される信号の電圧を制御するためのシステムおよび方法に関する。
【背景技術】
【０００３】
ワイヤレス通信デバイスは、消費者のニーズを満たし、携帯性と利便性とを高めるために、より小さく、より強力になった。消費者は、携帯電話、携帯情報端末（ＰＤＡ）、ラップトップコンピュータなどのワイヤレス通信デバイスに依存するようになった。消費者は、信頼できるサービス、カバレージエリアの拡大、および機能の増加を期待するようになった。ワイヤレス通信デバイスは、移動局、局、アクセス端末、ユーザ端末、端末、加入者ユニット、ユーザ機器などと呼ばれることがある。
【０００４】
ワイヤレス通信システムは、複数のワイヤレス通信デバイスのための通信を同時にサポートすることができる。ワイヤレス通信デバイスは、アップリンクおよびダウンリンク上の伝送を介して１つまたは複数の基地局（代替的に、アクセスポイント、ノードＢなどと呼ばれることがある）と通信することができる。アップリンク（または逆方向リンク）は、ワイヤレス通信デバイスから基地局への通信リンクを指し、ダウンリンク（または順方向リンク）は、基地局からワイヤレス通信デバイスへの通信リンクを指す。
【０００５】
ワイヤレス通信システムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、広帯域符号分割多元接続（ＷＣＤＭＡ）、時分割多元接続（ＴＤＭＡ）システム、移動体通信用グローバルシステム（ＧＳＭ）、周波数分割多元接続（ＦＤＭＡ）システム、および直交周波数分割多元接続（ＯＦＤＭＡ）システムがある。
【発明の概要】
【０００６】
これらの通信システムの一部または全部では制御信号を使用することができる。システムの複雑さが増すにつれて、これらの制御信号を駆動するためにより高い電圧および電力が必要になる。しかしながら、通信デバイス中に含まれる回路は縮小し続ける。回路の形状が縮小するにつれて、より高い電圧を用いて制御信号を駆動する際の困難さが増す。したがって、電力増幅器を制御するために使用される信号の電圧を制御するためのシステムおよび方法を提供することによって、利益を実現することができる。
【図面の簡単な説明】
【０００７】
【図１】符号分割多元接続（ＣＤＭＡ）ワイヤレス電話システムの一例。
【図２】電力増幅器を制御するための制御信号を生成するために第２集積回路を利用する第１集積回路の一例を示すブロック図。
【図３】外部集積回路（ＩＣ）を使用して制御信号を多重化するための方法の一例を示す流れ図。
【図４】図３に示す方法に対応するミーンズプラスファンクションブロック。
【図５】モデムシステムモデム（ＭＳＭ）／無線周波数（ＲＦ）回路および外部電力管理ＩＣ（ＰＭＩＣ）の一構成を示すブロック図。
【図６】外部ＩＣを介して電力増幅器用の制御信号を供給するための方法の一構成を示す流れ図。
【図７】１つまたは複数の制御信号の様々な論理状態を示すタイミング図。
【図８】ＭＳＭおよび外部ＩＣのさらなる一例を示すブロック図。
【図９】ワイヤレス通信デバイスにおいて利用できる様々な構成要素を示す図。
【発明を実施するための形態】
【０００８】
電力増幅器を制御するために使用される信号の電圧を制御するための方法について説明する。第１マルチプレクサおよび第２マルチプレクサをイネーブル信号に設定する。第１マルチプレクサは第１集積回路上にあり、第２マルチプレクサは第２集積回路上にある。電力増幅器を制御するために使用される複数の制御信号のうちの１つに第１マルチプレクサを設定するためのコマンドを第１マルチプレクサに書き込む。第１マルチプレクサにマッピングする複数の制御信号のうちの１つを選択するためのコマンドを第２マルチプレクサに書き込む。第２集積回路は電源に接続される。
【０００９】
また、電力増幅器を制御するために使用される信号の電圧を制御するためのワイヤレスデバイスについて説明する。このデバイスは、プロセッサと、このプロセッサと電子的に通信するメモリとを含む。メモリ内には命令が記憶される。この命令は、第１マルチプレクサおよび第２マルチプレクサをイネーブル信号に設定するように実行可能である。第１マルチプレクサは第１集積回路上にあり、第２マルチプレクサは第２集積回路上にある。電力増幅器を制御するために使用される複数の制御信号のうちの１つに第１マルチプレクサを設定するためのコマンドを第１マルチプレクサに書き込む。第１マルチプレクサにマッピングする複数の制御信号のうちの１つを選択するためのコマンドを第２マルチプレクサに書き込む。第２集積回路は電源に接続される。
【００１０】
また、電力増幅器を制御するために使用される信号の電圧を制御するための装置について説明する。この装置は、第１マルチプレクサおよび第２マルチプレクサをイネーブル信号に設定するための手段を含む。第１マルチプレクサは第１集積回路上にあり、第２マルチプレクサは第２集積回路上にある。この装置はまた、電力増幅器を制御するために使用される複数の制御信号のうちの１つに第１マルチプレクサを設定するためのコマンドを第１マルチプレクサに書き込むための手段を含む。この装置はさらに、第１マルチプレクサにマッピングする複数の制御信号のうちの１つを選択するためのコマンドを第２マルチプレクサに書き込むための手段を含む。第２集積回路は電源に接続される。
【００１１】
電力増幅器を制御するために使用される信号の電圧を制御するためのコンピュータプログラム製品について説明する。コンピュータプログラム製品は、その上に命令を有するコンピュータ可読媒体を含む。この命令は、第１マルチプレクサおよび第２マルチプレクサをイネーブル信号に設定するためのコードを含む。第１マルチプレクサは第１集積回路上にあり、第２マルチプレクサは第２集積回路上にある。この命令はまた、電力増幅器を制御するために使用される複数の制御信号のうちの１つに第１マルチプレクサを設定するためのコマンドを第１マルチプレクサに書き込むためのコードを含む。この命令はさらに、第１マルチプレクサにマッピングする複数の制御信号のうちの１つを選択するためのコマンドを第２マルチプレクサに書き込むためのコードを含む。第２集積回路は電源に接続される。
【００１２】
また、電力増幅器を制御するために使用される信号の電圧を制御するための回路について説明する。この回路は、第１集積回路および第２集積回路を含む。第１集積回路はモデムシステムモデム（ＭＳＭ）回路であり、第２集積回路は電力管理集積回路（ＰＭＩＣ）であり、第２集積回路は電源に接続される。この回路はまた、ＭＳＭ上に第１マルチプレクサを、およびＰＭＩＣ上に第２マルチプレクサを含む。第１マルチプレクサおよび第２マルチプレクサをイネーブル信号に設定する。電力増幅器を制御するために使用される複数の制御信号のうちの１つに第１マルチプレクサを設定するためのコマンドを第１マルチプレクサに書き込む。この回路はさらに、単線シリアルバスインターフェース（ＳＳＢＩ）を含む。ＳＳＢＩは、第１マルチプレクサにマッピングする複数の制御信号のうちの１つを選択するためのコマンドを第２マルチプレクサに書き込む。
【００１３】
本システムおよび方法は、移動体通信用グローバルシステム（ＧＳＭ）システムおよび／または広帯域符号分割多元接続（ＷＣＤＭＡ）システムなどの通信システムにおけるより高い電圧の電力増幅器（ＰＡ）制御信号を駆動する。集積回路（ＩＣ）上のモバイルシステムモデム（ＭＳＭ）デジタルチップのコア電圧は、回路の形状が縮小するにつれて低下している。したがって、ＭＳＭから１．２Ｖよりも大きい電圧を駆動することが不可能な場合がある。１つの構成では、制御信号用にＭＳＭから駆動できる電圧を増加させるために電力管理ＩＣ（ＰＭＩＣ）などの外部集積回路（ＩＣ）を実装することができる。このＩＣは、単一の多重化ラインと、ＭＳＭからＰＭＩＣを介して１つまたは複数のＰＡにより大きい電圧が駆動されることを可能にするシリアルバスインターフェース（ＳＢＩ）とを有することができる。
【００１４】
電力増幅器は、電力増幅器オン（ＰＡ＿ＯＮ）信号などの制御信号によって制御できる。マルチプレクサ（ＭＵＸ）は、様々な通信システム（たとえば、ＧＳＭ、ＷＣＤＭＡ、ＣＤＭＡなど）からのＰＡ＿ＯＮ信号を１つの信号に合成するように実装できる。ＭＳＭをＰＭＩＣに接続するＰＡ＿ＯＮ  ＭＵＸの実装により、ＭＳＭ  ＭＵＸとＰＭＩＣ  ＭＵＸとの間のダイ間接続（バンプとも呼ばれる）の量を低減することができる。たとえば、ＭＳＭおよびＰＭＩＣ上にＰＡ＿ＯＮ  ＭＵＸを実装することによって８つのバンプを節約することができる。別の例では、ＭＳＭ  ＭＵＸは、ＰＭＩＣ  ＭＵＸの外部に存在することができる。言い換えれば、ＭＳＭ  ＭＵＸとＰＭＩＣ  ＭＵＸとの間の接続は（ダイ間接続の代わりに）ピン間接続とすることができる。ＭＳＭ上に実装されるＭＵＸは、ＭＳＭ  ＭＵＸと呼ばれることがある。ＰＭＩＣ上のＭＵＸは、ＰＭＩＣ  ＭＵＸと呼ばれることがある。
【００１５】
上述のＭＵＸ構成の使用を温度補償型水晶発振器イネーブル（ＴＣＸＯ＿ＥＮ）ラインに拡張すれば、さらに２つのバンプを節約することができる。別の例では、ＭＳＭ  ＭＵＸは、ＰＭＩＣ  ＭＵＸの外部に存在することができる。したがって、ＭＳＭ  ＭＵＸとＰＭＩＣ  ＭＵＸとの間のピン間接続の数を減らすことができる。一例では、ＭＳＭ  ＭＵＸがＰＭＩＣ  ＭＵＸの外部に存在する場合、２つのピン間接続を節約することができる。１つの構成では、ＴＣＸＯ＿ＥＮラインは、ＧＳＭまたはＷＣＤＭＡなどの様々な通信システムからのＰＡ＿ＯＮ信号の使用とは競合しない。
【００１６】
１つの構成では、ＭＳＭ  ＭＵＸとＰＭＩＣ  ＭＵＸの両方は、ＴＣＸＯ＿ＥＮラインの論理状態にデフォルト設定される。これにより、ＴＣＸＯ＿ＥＮまたはＰＭＩＣがオンにならないと伝送が行われないので、ＰＭＩＣは最初にＴＣＸＯ＿ＥＮに応答することが可能になる。一例では、ＰＭＩＣがウォームアップした後、ＳＢＩコマンドは、ＭＳＭ  ＭＵＸおよびＰＭＩＣ  ＭＵＸを、ＭＳＭが使用しているＰＡ＿ＯＮ信号のいずれかに設定する。ＰＭＩＣがスリープに入ると、ＴＣＸＯ＿ＥＮが通常は低くなる通常時間にＳＢＩコマンドをＰＭＩＣに送信することができる。
【００１７】
図１に、複数の移動局１０８と、複数の基地局１１０と、基地局コントローラ（ＢＳＣ）１０６と、移動交換センター（ＭＳＣ）１０２とを含むことができるワイヤレス電話システム１００を示す。ＭＳＣ１０２は、ＰＳＴＮ（公衆交換電話網）１０４とインターフェースするように構成できる。ＭＳＣ１０２はまた、ＢＳＣ１０６とインターフェースするように構成できる。システム１００中には２つ以上のＢＳＣ１０６が存在することができる。
【００１８】
各基地局１１０は、少なくとも１つのセクタ（図示せず）を含み、各セクタは、全方向性アンテナ、または基地局１１０から放射状に離れる特定の方向に向けられたアンテナを有することができる。代替として、各セクタは、ダイバーシチ受信用の２つのアンテナを含むことができる。各基地局１１０は、複数の周波数割当てをサポートするように設計できる。セクタと周波数割当ての交差は、符号分割多元接続（ＣＤＭＡ）チャネルと呼ばれることがある。移動局１０８は、携帯電話またはポータブル通信システム（ＰＣＳ）電話を含むことができる。
【００１９】
ワイヤレス電話システム１００の動作中、基地局１１０は、移動局１０８のセットから逆方向リンク信号のセットを受信することができる。移動局１０８は、電話通話または他の通信を行っていることがある。所与の基地局１１０によって受信された各逆方向リンク信号は、その基地局１１０内で処理されることが可能である。得られたデータは、ＢＳＣ１０６に転送することができる。ＢＳＣ１０６は、呼リソース割当てと、基地局１１０間のソフトハンドオフの編成を含むモビリティ管理機能とを提供することができる。ＢＳＣ１０６はまた、受信データをＭＳＣ１０２にルーティングすることができ、ＭＳＣ１０２は、ＰＳＴＮ１０４とインターフェースするための追加のルーティングサービスを提供する。同様に、ＰＳＴＮ１０４は、ＭＳＣ１０２とインターフェースし、ＭＳＣ１０２は、ＢＳＣ１０６とインターフェースし、ＢＳＣ１０６は、順方向リンク信号のセットを移動局１０８のセットに送信するように基地局１１０を制御することができる。
【００２０】
図２は、電力増幅器２４２、２４４、２４６を制御するための制御信号２１６、２１８、２２０を生成するために第２集積回路２４２を利用する第１集積回路２４０の一例を示すブロック図である。１つの構成では、第１集積回路２４０はモデムシステムモデム（ＭＳＭ）デジタル集積回路（ＩＣ）である。第２集積回路２４２は電力管理ＩＣ（ＰＭＩＣ）とすることができる。
【００２１】
第１集積回路２４０は第１マルチプレクサ（ＭＵＸ）２１０を含むことができる。ＭＵＸは、複数のアナログメッセージ信号またはデジタルデータストリームを１つの共通のノード信号に合成することができる。多重化信号２１２は、物理的な伝送媒体とすることができる通信チャネル上で送信できる。
【００２２】
一例では、第１ＭＵＸ２１０によって複数の信号２０２、２０４、２０６を多重化することができる。ここでは、３つの信号２０２、２０４、２０６が示されているが、より多くの信号が存在することができる。多重化信号２１２は、第２ＩＣ２４２上の第２ＭＵＸ２１４に送信できる。第２ＭＵＸ２１４は、多重化信号２１２を復号するために使用される復号器２５４を含むことができる。第２ＭＵＸ２１４によって第２ＩＣ２４２から複数の制御信号２１６、２１８、２２０を生成することができる。制御信号２１６、２１８、２２０の各々は電力増幅器２４２、２４４、２４６を制御することができる。
【００２３】
第１ＭＵＸ２１０と第２ＭＵＸ２１４とは同期させることができる。第１ＩＣ２４０上の同期マスター２５０は、第２ＩＣ２４２上の同期スレーブ２５２と通信することができる。同期マスター２５０は、第１ＭＵＸ２１０と第２ＭＵＸ２１４との同期に関する命令を同期スレーブ２５２に供給することができる。同期スレーブ２５２は、その同期命令を第２ＭＵＸ２１４に通信することができる。同期マスター２５０は、単線シリアルバスインターフェース（ＳＳＢＩ）を使用して同期スレーブ２５２と通信することができる。他の例では、同期マスター２５０は、追加のインターフェース、ワイヤなどを使用して同期スレーブ２５２と通信することができる。
【００２４】
図３は、外部ＩＣを使用して制御信号を多重化するための方法３００の一例を示す流れ図である。方法３００は移動局１０８によって実施できる。第１ＭＵＸおよび第２ＭＵＸをイネーブル信号に設定する（３０２）。第１ＭＵＸは第１集積ＩＣ２４０上にあり、第２ＭＵＸは第２集積ＩＣ２４２上にあることができる。第２集積ＩＣ２４２は外部集積ＩＣとすることができる。
【００２５】
１つの構成では、第１ＭＵＸにコマンドを書き込む（３０４）。このコマンドは、第１ＭＵＸを複数の制御信号のうちの１つに設定するように第１ＭＵＸに命令することができる。制御信号の一例には、図２で説明した複数の信号２０２、２０４、２０６がある。別のコマンドを第２ＭＵＸに書き込む（３０６）。このコマンドは、第１ＩＣ２４０上の第１ＭＵＸにマッピングする複数の制御信号のうちの１つを選択するように第２ＭＵＸに命令することができる。
【００２６】
上述の図３の方法は、図４に示すミーンズプラスファンクションブロックに対応する様々なハードウェア、および／または（１つまたは複数の）ソフトウェア構成要素、および／または（１つまたは複数の）モジュールによって実行できる。言い換えれば、図３に示すブロック３０２〜３０６は、図４に示すミーンズプラスファンクションブロック４０２〜４０６に対応する。
【００２７】
図５は、ＭＳＭ／無線周波数（ＲＦ）回路５４０および外部ＰＭＩＣ５４２の一構成を示すブロック図である。ＭＳＭ／ＲＦ５４０とＰＭＩＣ５４２は、第１ＭＵＸ５１０と第２ＭＵＸ５１４との間のダイ間接続によって接続できる。第１ＭＵＸ５１０と第２ＭＵＸ５１４を接続するために単線５１２を使用することができる。一例では、ＰＭＩＣ５４２はまた、バッテリ電源（図示せず）に接続される。ＰＭＩＣ５４２はバッテリに直接接続されるので、ＰＭＩＣ５４２は４または５ボルトを超える処理が可能である。
【００２８】
第１ＭＵＸ５１０は、１つまたは複数の電力増幅器用の１つまたは複数の制御信号を多重化することができる。制御信号の一例には、電力増幅器オン／オフ信号（ＰＡ＿ＯＮ信号）がある。第１ＭＵＸ５１０は、ＷＣＤＭＡ  ＰＡ＿ＯＮ信号５０２などのＷｉｄｅｂａｎｄ  ＣＤＭＡシステム（ＷＣＤＭＡ）において使用されるＰＡ＿ＯＮ信号、および／またはＧＳＭ＿ＰＡ＿ＯＮ信号５０４などの移動体通信用グローバルシステム（ＧＳＭ）システムにおいて使用されるＰＡ＿ＯＮ信号を多重化することができる。ＰＡ＿ＯＮ信号５０２、５０４は信号ワイヤ５１２上に多重化できる。
【００２９】
別の構成では、第１ＭＵＸ５１０によってイネーブル信号を多重化することもできる。イネーブル信号の一例には、温度補償型水晶発振器（ＴＣＸＯ）イネーブル信号５０６がある。ＴＣＸＯ＿ＥＮ信号５０６は、ＭＳＭ５４０において発生し、ＰＭＩＣ５４２に移動することができる。一例では、ＴＣＸＯは、圧電材料の振動水晶子の機械的共振を使用して、正確な周波数をもつ電気信号を生成する電子回路である。この周波数を使用して、ＭＳＭ／ＲＦ５４０およびＰＭＩＣ５４２などのデジタルＩＣに安定したクロック信号を供給することができる。一例では、第１ＭＵＸ５１０と第２ＭＵＸ５１４との間のダイ間接続を、ＴＸＣＯ＿ＥＮ信号５０６およびＰＡ＿ＯＮ信号５０２、５０４に対して共通である単線５１２として利用して、これらの信号５０２、５０４、５０６をＭＳＭ５４０からＰＭＩＣ５４２に送信することができる。
【００３０】
一態様では、第２ＭＵＸ５１４は、ＷＣＤＭＡシステムにおける個々の電力増幅器（図示せず）を制御するために使用できる１つまたは複数の別個のＷＣＤＭＡ  ＰＡ＿ＯＮ制御信号５１６、５１８、５２０、５２２を出力することができる。第２ＭＵＸ５１４はまた、ＧＳＭシステムにおける電力増幅器を制御するために使用できる１つまたは複数のＧＳＭ  ＰＡ＿ＯＮ制御信号５２４、５２８を出力することができる。１つの構成では、ＰＡ＿ＯＮ制御ピン５４４は、１．８Ｖ、２．６Ｖ、または２．８５Ｖの電圧設定を含むことができる。
【００３１】
第１ＭＵＸ５１０と第２ＭＵＸ５１４とを、第１ＭＵＸ５１０に接続されたソフトウェア５０８による制御によって同期させることができる。さらに、ＭＳＭ／ＲＦ５４０上にＰＭＩＣ単線シリアルバスインターフェース（ＳＳＢＩ）マスター５３６を含めることができる。ＰＭＩＣ  ＳＳＢＩマスター５３６は、第２ＭＵＸ５１４を同期させるためにＰＭＩＣ５４２上のＳＳＢＩスレーブ５３４と通信することができる。たとえば、ＧＳＭ＿ＰＡ＿ＯＮ信号５０４をＰＭＩＣ５４２中のＧＳＭ  ＰＡ＿ＯＮ＿０信号５２４と同期させることができる。ＭＳＭ／ＲＦ５４０とＰＭＩＣ５４２との間の単線５１２による接続が確立されると、ＧＳＭ＿ＰＡ＿ＯＮ信号５０４をトグルすることができ、ＧＳＭ  ＰＡ＿ＯＮ＿０信号５２４もトグルすることになる。遅延が存在することがある。この遅延は補正することもできる。
【００３２】
一例では、ハードハンドオーバを実行することができる。ハードハンドオーバは、ＧＳＭローバンドが現在インプリメントされており、ＧＳＭハイバンドへのハンドオーバが発生しようとしていることを指示することができる。ＧＳＭローバンドからＧＳＭハイバンドへのハンドオーバが起こると、第１ＭＵＸ５１０と第２ＭＵＸ５１４とが再同期される。１つの構成では、第１ＭＵＸ５１０と第２ＭＵＸ５１４とを再同期させるためにＳＢＩコマンドおよびソフトウェア制御を利用する。
【００３３】
ＰＭＩＣ５４２はまた、必要に応じて信号をハイにするために利用できる第３ＭＵＸ５２６を含むことができる。たとえば、ＧＳＭシステムにおける電力増幅器は、２つの帯域の制御用の２ビットを有することができる。ビットの一方はハイまたはローになることができ、それによって帯域を判断することができる。他のビットは、電力増幅器をオンオフするために使用できる。たとえば、電力増幅器の帯域選択において、０（またはロー）をローバンドに使用し、１（またはハイ）をハイバンドに使用することができる。ハイバンドにおける伝送を行う場合、ＧＳＭ＿ＰＡ＿ＢＡＮＤ＿ＳＥＬＥＣＴを１にし、ＰＡ＿ＯＮ信号もハイにすることできる。ただし、第２ＭＵＸ５１４は、ワイヤの任意の１つに１を与えることができる。したがって、第２ＭＵＸ５１４から２つの１が生成されることが所望される場合、競合が発生することがある。１つの構成では、第３ＭＵＸ５２６は、そのような状況下で、第１の強制１または０信号５４６を使用して、ＧＳＭ＿ＰＡ＿ＢＡＮＤ＿ＳＥＬ／ＧＳＭ＿ＰＡ＿ＯＮ＿１信号５２８を１（またはハイ）にすることができる。ＧＳＭ＿ＰＡ＿ＯＮ信号５０４を第３ＭＵＸ５２６に適用することもできる。第３ＭＵＸ５２６はＳＳＢＩスレーブ５３４によって制御できる。
【００３４】
ＰＭＩＣ５４２はまた第４ＭＵＸ５３２を含むことができる。第４ＭＵＸ５３２はＴＣＸＯ＿ＥＮ信号５０６と第２の強制１または０信号５４７とを多重化することができる。第４ＭＵＸ５３２は内部ＴＣＸＯおよびスリープ制御信号５３０を生成することができる。スリープ制御信号５３０は、ＰＭＩＣ５４２にスリープモードに入るように命令することができる。
【００３５】
図６は、外部ＩＣを介して電力増幅器用の制御信号を供給するための方法６００の一構成を示す流れ図である。方法６００は移動局１０８によって実施できる。一例では、ＭＳＭマルチプレクサおよびＰＭＩＣマルチプレクサをイネーブル信号に設定する（６０２）。ＭＳＭマルチプレクサを第１ＭＵＸ２１０とし、ＰＭＩＣマルチプレクサを第２ＭＵＸ２１４とすることができる。イネーブル信号はＴＣＸＯ＿ＥＮ信号５０６とすることができる。
【００３６】
一例では、イネーブル信号を無視するコマンドをＰＭＩＣ５４２中の第１マルチプレクサに書き込む（６０４）。第１マルチプレクサは、上述した第３ＭＵＸ５２６とすることができる。さらに、ＭＳＭ  ＭＵＸにコマンドを書き込む（６０６）。このコマンドは、ＭＳＭ  ＭＵＸを複数のＰＡ＿ＯＮ信号のうちの１つに設定するようにＭＳＭ  ＭＵＸに命令することができる。複数のＰＡ＿ＯＮ信号はＷＣＤＭＡ  ＰＡ＿ＯＮ信号５０２またはＧＳＭ＿ＰＡ＿ＯＮ信号５０４を含むことができる。ＰＭＩＣ  ＭＵＸにコマンドを書き込む（６０８）。このコマンドは、ＭＳＭ  ＭＵＸにマッピングする複数のＰＡ＿ＯＮ信号のうちの１つを選択するようにＰＭＩＣ  ＭＵＸに命令することができる。言い換えれば、ＰＭＩＣ  ＭＵＸは、ＭＳＭ  ＭＵＸと同じＰＡ＿ＯＮ信号に設定される。
【００３７】
図７は、１つまたは複数の制御信号の様々な論理状態を示すタイミング図７００である。タイミング図７００はＴＣＸＯ＿ＥＮ信号７０２およびＰＡ＿ＯＮ信号７１２を含む。ＰＡ＿ＯＮ信号７１２はＧＳＭ＿ＰＡ＿ＯＮ信号またはＷＣＤＭＡ  ＰＡ＿ＯＮ信号のいずれかとすることができる。図７００はさらに、ＭＳＭ５４０とＰＭＩＣ５４２との間のダイ間接続７１４の論理状態を示す。図７００はまた、ＭＳＭ５４０上の第１ＭＵＸ５１０およびＰＭＩＣ５４２上の第２ＭＵＸ５１４の状態を示す。図７００にはＰＭＩＣスリープ状態７１６も示されている。
【００３８】
一例では、第１の時間期間７１８Ａにおいて、ＴＣＸＯ＿ＥＮ信号７０２はハイになる。ハイＴＣＸＯ＿ＥＮ信号７０２はＰＭＩＣ５４２が活動状態になっていることを示し、これは、同じくハイになっているＰＭＩＣスリープ状態７１６によって示される。ＭＳＭ５４０上の第１ＭＵＸ５１０およびＰＭＩＣ５４２上の第２ＭＵＸ５１４はＴＣＸＯ＿ＥＮ信号７０２に設定できる。ＭＵＸ状態７０４は、ＭＳＭ５４０上の第１ＭＵＸ５１０とＰＭＩＣ５４２上の第２ＭＵＸ５１４の両方がＴＣＸＯイネーブル状態７０６にあることを示す。さらに、第１の時間期間７１８Ａにおいて、ダイ間接続ロジック７１４もハイになる。言い換えれば、ＴＣＸＯ＿ＥＮ信号７０２がハイになると、ＭＳＭ５４０とＰＭＩＣ５４２との間のダイ間接続が確立される。
【００３９】
また、ＭＳＭ５４０からＰＭＩＣ５４２に１つまたは複数のＳＳＢＩコマンド７３０を送信することができる。たとえば、第２ＭＵＸ５１４の構成を変更するために、ＭＳＭ５４０からＰＭＩＣ５４２に第１ＳＳＢＩコマンド７２４Ａを送信することができる。第２の時間期間７１８Ｂが開始する前に第１ＳＳＢＩコマンド７２４Ａを送信することができる。一例では、ＴＣＸＯ＿ＥＮ信号５０６を受信していた第４ＭＵＸ５３２に第１ＳＳＢＩコマンド７２４Ａを書き込む。第１ＳＳＢＩコマンド７２４Ａは、ＴＸＣＯ＿ＥＮ信号５０６を無視するように第４ＭＵＸ５３２に命令することができる。さらに、第１ＭＵＸ５１０をＰＡ＿ＯＮ信号（すなわち、ＷＣＤＭＡ  ＰＡ＿ＯＮ信号５０２、ＧＳＭ＿ＰＡ＿ＯＮ信号５０４など）のいずれかに設定するように第１ＭＵＸ５１０に命令するコマンドを、ＭＳＭ５４０上の第１ＭＵＸ５１０に書き込むことができる。第１ＭＵＸ５１０をＰＡ＿ＯＮ信号のいずれかに設定するように第１ＭＵＸ５１０に命令することにより、ＰＭＩＣ５４２上のＰＡ＿ＯＮ信号５１６、５１８、５２０、５２２などのいずれかでの誤ったハイを回避することができる。さらに、ＭＳＭ５４０上の第１ＭＵＸ５１０にマッピングするＰＡ＿ＯＮ信号を選択するコマンドを、ＰＭＩＣ５４２上の第２ＭＵＸ５１４に書き込むことができる。１つの構成では、第１ＭＵＸ５１０と第２ＭＵＸ５１４との間のダイ間接続は、ＭＳＭ５４０からのＰＡ＿ＯＮ信号に対してフリーである。
【００４０】
ＰＭＩＣ５４２がウォームアップした後、ＰＭＩＣ５４２に送信されたコマンド７３０を送信することができ、これは、第１の時間期間７１８ＡにおけるＰＭＩＣスリープ状態７１６によって示される。一例では、ＰＭＩＣ５４２がウォームアップする時間を３．５ミリ秒よりも大きくすることができる。１つの構成では、伝送が行われる少なくとも５００マイクロ秒前にコマンドをＰＭＩＣ５４２に送信することもできる。
【００４１】
第２の時間期間７１８Ｂにコマンドが送信された後、ＰＡ＿ＯＮ信号７１２の論理状態はいつでもハイになる（７２０）。ＰＡ＿ＯＮ信号は、ＰＡ＿ＯＮ０  ５１６、ＰＡ＿ＯＮ１  ５１８、ＰＡ＿ＯＮ２  ５２０などとすることができる。たとえば、ＰＡ＿ＯＮ信号はＰＡ＿ＯＮ０信号５１６とすることができる。したがって、ＭＵＸ状態７０４は、第２の時間期間７１８Ｂと第３の時間期間７１８Ｃとの間にＰＡ＿ＯＮ［０］７０８になることができる。代替的に、ＰＡ＿ＯＮ信号７１２は、ＧＳＭ＿ＰＡ＿ＯＮ／ＧＳＭ＿ＰＡ＿ＯＮ＿０  ５２４、ＧＳＭ＿ＰＡ＿ＢＡＮＤ＿ＳＥＬ５２８などとすることができる。ＰＡ＿ＯＮ信号７１２の論理状態に追従するために、ダイ間接続ロジック７１４もハイになる（７２２）。
【００４２】
ＭＵＸ状態７０４をＰＡ＿ＯＮ［０］７０８からＰＡ＿ＯＮ［１］７１０に変更する第２ＳＳＢＩコマンド７２４Ｂを、ＰＭＩＣ５４２上の第２ＭＵＸ５１４に書き込むことができる。この第２ＳＳＢＩコマンド７２４Ｂは、第３の時間期間７１８Ｃと第４の時間期間７１８Ｄとの間に書き込むことができる。ＰＡ＿ＯＮ０信号５０６がローになった後にこのコマンドを書き込むことができ、これは、ＰＡ＿ＯＮ７１２の論理状態によって示される。第４の時間期間７１８Ｄの開始時に、ＰＡ＿ＯＮ１  ５１８信号はハイになる。したがって、ＭＵＸ状態７０４はＰＡ＿ＯＮ［１］７１０を示すことができる。図示のように、ＰＡ＿ＯＮ７１２の論理状態に追従するために、ダイ間接続ロジック７１４もローおよびハイになる。
【００４３】
また、第２ＭＵＸ５１４の構成を（ＰＡ＿ＯＮ［１］７１０などの）任意のＰＡ＿ＯＮ状態からＴＣＸＯ＿ＥＮ状態７０６に変更する第３ＳＳＢＩコマンド７２４Ｃを、ＰＭＩＣ５４２に書き込むことができる。ＰＭＩＣ５４２のＴＣＸＯブロックはＳＳＢＩ制御からピン制御に戻ることができる。ダイ間接続ロジック７１４は、ＭＳＭ５４０からのＴＣＸＯ＿ＥＮ状態７０６に従ってハイになることができる。伝送が完了した後、および移動局１０８がスリープモードに入る準備ができたとき、ＴＣＸＯ＿ＥＮ状態７０６は開始することができる。移動局１０８は、もはやＰＡ＿ＯＮ信号状態に応答しなくてよい。１つの構成では、ＰＡ＿ＯＮ状態（たとえば、ＰＡ＿ＯＮ［０］７０８とＰＡ＿ＯＮ［１］７１０）間の遷移時間は、１００ミリ秒程度とすることができる。ＰＡ＿ＯＮ状態間の遷移は、ノードと帯域との間のハードハンドオフによって引き起こされる。一例では、ＴＣＸＯ＿ＥＮ状態７０２は、第６の時間期間７１８Ｆの後にローになる。ダイ間接続は、ＰＭＩＣがスリープモードに入るための信号をＰＭＩＣ５４２に送信することができる。
【００４４】
図８は、ＭＳＭ８４０、およびＰＭＩＣ８４２などの外部ＩＣのさらなる一例を示すブロック図である。ＭＳＭ８４０は、第１ＭＵＸ８１０および第３ＭＵＸ８７２を含むことができる。ＰＭＩＣは、第２ＭＵＸ８１４および第４ＭＵＸ８７０を含むことができる。１つの構成では、ダイ間接続８１２などの制御信号は第１ＭＵＸ８１０と第２ＭＵＸ８１４とを接続する。さらに、第２制御ライン８１２Ａは、第３ＭＵＸ８７２と第４ＭＵＸ８７０とを接続することができる。第２制御ライン８１２Ａはマルチビットレジスタ制御ラインとすることができる。言い換えれば、第２制御ライン８１２Ａは２つ以上の配線とすることができる。ＰＭＩＣマスターＳＳＢＩ８５０はＰＭＩＣスレーブＳＳＢＩ８５２にコマンドを通信する。このコマンドは、第３ＭＵＸ８７２と第４ＭＵＸ８７０、ならびに第１ＭＵＸ８１０と第２ＭＵＸ８１４とを同期させることができる。
【００４５】
第１ＭＵＸ８１０は１つまたは複数の信号を多重化することができる。たとえば、第１ＭＵＸ８１０はＰＡ＿ＯＮ信号８０２とＴＣＸＯ＿ＥＮ信号８０６とを多重化することができる。第３ＭＵＸ８７２は、アンテナ選択（Ａｎｔ＿Ｓｅｌｅｃｔ）信号８０４と他の追加の制御信号（図示せず）とを多重化することができる。アンテナ選択信号８０４を利用して、スイッチプレクサ８２２を制御することができる。第１ＭＵＸ８１０はまた、電力増幅器範囲（ＰＡ＿Ｒ）信号などの他の制御信号（図示せず）を多重化することができる。ＰＡ＿Ｒ信号は電力増幅器の利得（すなわち、高利得、低利得など）を決定することができる。
【００４６】
１つの構成では、第４ＭＵＸ８７０は出力を与える。出力の一例は、スイッチプレクサ８２２に接続された４つのアンテナライン８６４である。４つのアンテナライン８６４はＡｎｔ＿Ｓｅｌｅｃｔ信号８０４によって制御できる。第２ＭＵＸ８１４は複数の出力を与えることができる。第２ＭＵＸ８１４の出力はＷＣＤＭＡ  ＰＡ８６０Ａ、８６０Ｂに接続できる。第２ＭＵＸ８１４はＧＳＭ  ＰＡ８２６にも接続できる。前述したように、ＰＡ＿ＯＮ信号８０２がＧＳＭ  ＰＡ＿ＯＮ信号である場合、ＧＳＭ  ＰＡ＿ＯＮ信号によってＧＳＭ  ＰＡ８２６を制御することが可能である。
【００４７】
さらに、ＲＦチップ８２０は、１つまたは複数の電力増幅器８６０Ａ、８６０Ｂに接続することができ、それらの電力増幅器はＰＡ＿ＯＮ信号８０２によって制御される。第１の伝送ライン８６６および第２の伝送ライン８６８は、ＷＣＤＭＡ  ＰＡ８６０Ａ、８６０Ｂをデュプレクサ８２４Ａ、８２４Ｂに接続することができる。第３の伝送ライン８７０は、ＲＦチップ８２０をデュプレクサ８２４Ａ、８２４Ｂに接続するのに使用できる。１つの構成では、ＲＦチップ８２０は、低ノイズ増幅器（ＬＮＡ）８６２Ａ、８６２Ｂ、８６２Ｃ、８６２Ｄを含む。さらに、ＲＦチップ８２０は、Ｉ／Ｑ伝送ライン８１６およびＩ／Ｑ受信ライン８１８を介してＭＳＭ８４０に接続できる。
【００４８】
図９に、ワイヤレスデバイス９０２において利用できる様々な構成要素を示す。ワイヤレスデバイス９０２は、本明細書で説明する様々な方法を実施するように構成できるデバイスの一例である。ワイヤレスデバイス９０２は基地局１１０または移動局１０８とすることができる。
【００４９】
ワイヤレスデバイス９０２は、ワイヤレスデバイス９０２の動作を制御するプロセッサ９０４を含むことができる。プロセッサ９０４は中央処理装置（ＣＰＵ）と呼ばれることもある。ＲＯＭ（読取り専用メモリ）とＲＡＭ（ランダムアクセスメモリ）の両方を含むことができるメモリ９０６は、命令およびデータをプロセッサ９０４に供給する。メモリ９０６の一部はまた、不揮発性ランダムアクセスメモリ（ＮＶＲＡＭ）を含むことができる。プロセッサ９０４は、一般に、メモリ９０６内に記憶されたプログラム命令に基づいて論理演算および算術演算を実行する。メモリ９０６中の命令は、本明細書で説明する方法を実施するように実行可能である。
【００５０】
ワイヤレスデバイス９０２はまた、ワイヤレスデバイス９０２と遠隔地の間のデータの送受信を可能にするために送信機９１０と受信機９１２とを含むことができるハウジング９０８を含むことができる。送信機９１０と受信機９１２を組み合わせてトランシーバ９１４にすることも可能である。アンテナ９１６は、ハウジング９０８に取り付けられ、トランシーバ９１４に電気的に結合することができる。ワイヤレスデバイス９０２はまた、複数の送信機、複数の受信機、複数のトランシーバ、および／または複数のアンテナを含むことができる（図示せず）。
【００５１】
ワイヤレスデバイス９０２はまた、トランシーバ９１４によって受信された信号のレベルを検出し、定量化するために使用できる信号検出器９１８を含むことができる。信号検出器９１８は、全エネルギー、擬似ノイズ（ＰＮ）チップ当たりのパイロットエネルギー、電力スペクトル密度などの信号、および他の信号を検出することができる。ワイヤレスデバイス９０２はまた、信号を処理するのに使用するためのデジタル信号プロセッサ（ＤＳＰ）９２０を含むことができる。
【００５２】
ワイヤレスデバイス９０２の様々な構成要素は、データバスに加えて、電力バス、制御信号バス、およびステータス信号バスを含むことができるバスシステム９２２によって一緒に結合できる。しかし、明快のために、図９では様々なバスはバスシステム９２２として示している。
【００５３】
本明細書で使用する「判断」という用語は、多種多様な動作を包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００５４】
「に基づいて」という句は、別段に明示されていない限り、「のみに基づいて」を意味しない。言い換えれば、「に基づいて」という句は、「のみに基づいて」と「に少なくとも基づいて」の両方を表す。
【００５５】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の市販のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【００５６】
本開示に関連して説明された方法またはアルゴリズムのステップは、ハードウェアで直接実施するか、プロセッサによって実行されるソフトウェアモジュールで実施するか、またはその２つの組合せで実施することができる。ソフトウェアモジュールは、当技術分野で知られている任意の形式の記憶媒体中に常駐することができる。使用できる記憶媒体のいくつかの例には、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００５７】
本明細書で開示する方法は、説明した方法を実現するための１つまたは複数のステップまたは動作を備える。方法ステップおよび／または動作は、本発明の範囲から逸脱せずに互いに交換することが可能である。言い換えれば、ステップまたは動作の特定の順序が指定されるのでない限り、特定のステップおよび／または動作の順序および／または使用は、特許請求の範囲の範囲を逸脱せずに修正することが可能である。
【００５８】
説明した機能は、ハードウェア、ソフトウェア、ファームウェア、またはそれらの組合せで実装できる。ソフトウェアで実装した場合、機能は１つまたは複数の命令としてコンピュータ可読媒体上に記憶できる。コンピュータ可読媒体は、コンピュータによってアクセスできる任意の媒体とすることができる。限定ではなく例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、あるいは命令またはデータ構造の形態で所望のプログラムコードを担持または記憶するために使用でき、コンピュータによってアクセスできる任意の他の媒体を備えることができる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００５９】
ソフトウェアまたは命令は伝送媒体を介して送信することもできる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００６０】
さらに、図１〜図９によって示されたものなど、本明細書に記載の方法および技法を実行するためのモジュールおよび／または他の適切な手段は、適用可能な場合にモバイルデバイスおよび／または基地局によってダウンロードおよび／または他の方法で取得できることを諒解されたい。たとえば、そのようなデバイスは、本明細書に記載の方法を実行するための手段の転送を可能にするために、サーバに結合できる。代替的に、本明細書で説明した様々な方法は、モバイルデバイスおよび／または基地局が記憶手段をデバイスに結合または提供するときに様々な方法を獲得することができるように、記憶手段（たとえば、ランダムアクセスメモリ（ＲＡＭ）、読取り専用メモリ（ＲＯＭ）、コンパクトディスク（disc）（ＣＤ）またはフロッピー（登録商標）ディスク（disk）などの物理的記憶媒体など）によって提供できる。さらに、本明細書で説明した技法および方法をデバイスに提供するための任意の他の適切な技術を利用することができる。
【００６１】
特許請求の範囲は、上記の正確な構成および構成要素に限定されないことを理解されたい。特許請求の範囲を逸脱することなく、本明細書に記載のシステム、方法および装置の構成、動作および詳細において、様々な改変、変更および変形を行うことができる。
【図１】
2011508535.tif 000003
【図２】
2011508535.tif 000004
【図３】
2011508535.tif 000005
【図４】
2011508535.tif 000006
【図５】
2011508535.tif 000007
【図６】
2011508535.tif 000008
【図７】
2011508535.tif 000009
【図８】
2011508535.tif 000010
【図９】
2011508535.tif 000011
【国際調査報告】
2011508535.tif 000012
2011508535.tif 000013
2011508535.tif 000014